(57)【要約】　　　（修正有）【課題】ある思い出にまつわる記念の写真と共に、その写真に係る記念の品々も一緒に保管できる写真立てを提供する。【解決手段】写真を展示しうる額部２と、その展示する写真又はその写真にまつわる思い出に係る記念の品を収納しうる保管ケース部３とが具えられ、上記保管ケース部は箱状に形成され、前面部が開口した外箱４と、上記外箱に前後方向へスライド可能に収納された引出し体５と、同じく上記外箱に前後方向へスライド可能に収納された被せ蓋６付き中箱７とによって構成され、上記額部は上記外箱の前面開口部を開閉する蓋体として形成されている。【選択図】　　　　図２
0003098900.tif 000002
【実用新案登録請求の範囲】
【請求項１】
写真を展示しうる額部と、その展示する写真又はその写真にまつわる思い出に係る記念の品を収納しうる保管ケース部とが具えられ、上記保管ケース部は箱状に形成され、前面部が開口した外箱と、上記外箱に前後方向へスライド可能に収納された引出し体と、同じく上記外箱に前後方向へスライド可能に収納された被せ蓋付き中箱とによって構成され、上記額部は上記外箱の前面開口部を開閉する蓋体として形成されたことを特徴とする写真立て。
【請求項２】
上記引出し体は複数体が上下方向に配列され、上記被せ蓋付き中箱は上記引出し体の下方に配置されたことを特徴とする請求項２記載の写真立て。
【請求項３】
上記額部は側縁部が上記外箱の側縁部にヒンジを介して回動自在に連結され、扉状に形成されたことを特徴とする請求項１、２、３又は４記載の写真立て。
【請求項４】
上記額部及び上記保管ケース部は主に桐材で形成されたことを特徴とする請求項１、２、３、４又は５記載の写真立て。
【考案の詳細な説明】
【０００１】
【考案の属する技術分野】
本考案は写真立てに関する。
【０００２】
【従来の技術】
赤ちゃんが生まれたときなどの思い出を残すために記念写真を撮ることが多い。そして、その写真はアルバムや写真立てに収納されて飾られることが多い。
【０００３】
ところで、写真だけでは、思い出を充分に残すことが困難であり、年月を経た後で、その写真だけを見ても感動は小さい。
【０００４】
そして、思い出をたくさん残すには、写真と共に、その写真に係る記念の品々も保管して残すことが有効である。
例えば、赤ちゃんの写真と共に、その赤ちゃんの髪の毛、へその緒、手型等も保管しておけば、後でそれらを一緒に見ることにより一層懐かしさがこみ上げてくる。
【０００５】
しかしながら、従来の写真立ては、写真を展示する機能しか有していなかった。
【０００６】
なお、本出願人は、思い出の写真とともに、その写真に係る記念の品々を保管できる写真立てを調査したが、関連する先行技術文献を発見できなかった。
【０００７】
【考案が解決しようとする課題】
そこで本考案は、ある思い出にまつわる記念の写真と共に、その写真に係る記念の品々も一緒に保管できる写真立ての提供を課題とする。
【０００８】
【課題を解決するための手段】
上記課題を解決するために、本考案の写真立ては、写真を展示しうる額部と、その展示する写真又はその写真にまつわる思い出に係る記念の品を収納しうる保管ケース部とが具えられ、上記保管ケース部は箱状に形成され、前面部が開口した外箱と、上記外箱に前後方向へスライド可能に収納された引出し体と、同じく上記外箱に前後方向へスライド可能に収納された被せ蓋付き中箱とによって構成され、上記額部は上記外箱の前面開口部を開閉する蓋体として形成されたことを特徴とするものである。
【０００９】
これにより、本考案に係る写真立てにあっては、ある思い出にまつわる写真を額部に展示しうると共に、その展示する写真又はその写真にまつわる思い出に係る記念の品も保管ケース部に収納しうるので、写真と共に記念の品を取り出して一緒に観賞することにより、過去の思い出を呼び戻しやすくなり、感動も大きくなる。
また、上記保管ケース部は箱状に形成されるので、安定感が良い。したがって、額部の背面部に支脚が取付けられただけの従来の写真立てのように倒れたりする不具合がない。
また、思い出の品々を引出し体や蓋付き中箱に収納して、外箱内に保管できるので、上記の品々は２重に保護されることになる。
また、引出し体や蓋付き中箱は前方へスライドさせて外箱から容易に前方へ突出させることができるので、上記品々を引出し体や中箱から取り出すのも容易である。
また、額部は写真を展示するだけでなく、外箱の蓋の機能も有することから、外箱の前面開口部を閉じるためだけの蓋を設ける必要がない。
【００１０】
また、本考案の写真立てにあっては、上記引出し体は複数体が上下方向に配列され、上記蓋付き中箱は上記引出し体の下方に配置されたものとすることができる。
【００１１】
これにより、本考案に係る写真立てにあっては、思い出の品々を分類整理して収納するのに好都合である。
また、引出し体の下方に配置された中箱には特に大切なものを収納して蓋をした状態で大事に保管することができる。
【００１２】
また、本考案の写真立てにあっては、上記額部は側縁部が上記外箱の側縁部にヒンジを介して回動自在に連結され、扉状に形成されたものとすることができる。
【００１３】
これにより、本考案に係る写真立てにあっては、額部を回動させることによって上記外箱の前面開口部を容易に開閉することができる。
また、蓋体としての額部を開いたときに、額部が保管ケース部から分離しないので紛失することがない。
また、額部を回動させることにより、額部の背面部を前向きに露呈させることができるので、その背面部から写真を額部に容易に収納することができる。
【００１４】
また、本考案の写真立てにあっては、上記額部及び上記保管ケース部は主に桐材で形成されたものとすることができる。
【００１５】
これにより、本考案に係る写真立てにあっては、写真や思い出の品々を湿気や虫食い等から保護しやすく、長期間破損しないように保護することができる。
【００１６】
【考案の実施の形態】
以下、添付した図面を用いて本実施の形態について説明する。
まず、本実施の形態に係る写真立て１は、図１及び図２に示すように、写真を展示しうる額部２と、その展示する写真又はその写真にまつわる思い出に係る記念の品を収納しうる保管ケース部３とが具えられている。
そして、図２に示すように、上記保管ケース部３は箱状に形成され、前面部が開口した外箱４と、上記外箱４に前後方向へスライド可能に収納された引出し体５と、同じく上記外箱４に前後方向へスライド可能に収納された被せ蓋６付き中箱７とによって構成されている。
そして、図１及び図２に示すように、上記額部２は上記外箱４の前面開口部８を開閉する蓋体９として形成されている。
ている。
また、図２及び図３に示すように、上記引出し体５は複数体が上下方向に配列され、上記被せ蓋６付き中箱７は上記引出し体５の下方に配置されている。
また、図２及び図３に示すように、上記額部２は側縁部が上記外箱４の側縁部にヒンジ１０を介して回動自在に連結され、扉状に形成されている。
また、上記額部２及び上記保管ケース部３は主に桐材で形成されている。
【００１７】
本実施の形態に係る上記保管ケース部３は、図２に示すように、箱状に形成されている。
【００１８】
上記保管ケース部３は、図２及び図４に示すように、外箱４と、引出し体５と、被せ蓋６付き中箱７とによって構成されている。
【００１９】
上記外箱４は、図２〜図４に示すように、上面板１１と、左右の側面板１２，１３と、底面板１４と、背面板１５とによって構成され、その前面部が開口されている。
【００２０】
上記外箱４の内部には、図２及び図４に示すように、その左方の側面板１２の内面部における高さ方向の複数箇所にそれぞれ前後方向に沿って水平に断面略正方形のレール体１６が取り付けられるとともに、右方の側面板１３の内面部にも、上記左方の側面板１２に取付けられた上記レール体１６と同一高さの位置にそれぞれ前後方向に沿って同じく断面略正方形のレール体１７が水平に取付けられている。
【００２１】
そして、図２及び図４に示すように、上記外箱４の内部には引出し体５が３体と、被せ蓋６付き中箱７が１体収納されている。
【００２２】
上記３体の引出し体５は、図２及び図４に示すように、上下方向に配列されて、それらの底部における幅方向の両端部が上記レール体１６，１７の上面部に前後方向へスライドしうるように載置されて、上記外箱４内に収納されている。
【００２３】
なお、上記引出し体５は、図３及び図４に示すように、前面板１８、背面板１９、底面板２０、左右の側面板２１，２２によって上方を開口した箱状に形成されている。
【００２４】
図２に示すように、上記引出し体５の前面板１８における上縁中央部には略半円形の切欠凹部２３が形成されている。
【００２５】
上記引出し体５は、上記切欠凹部２３に指を引っ掛けて前方へ引っ張ることにより、上記レール体１６，１７上を滑って外箱４の前面開口部８から前方へ突出することができる。
【００２６】
上記被せ蓋６付き中箱７は、図４に示すように、上方を開口した形状の中箱７と、その中箱７の上に被せて、中箱７の開口部を覆う被せ蓋６を具えて構成されている。
【００２７】
上記被せ蓋６付き中箱７も、図２に示すように、上記外箱４の内部に収納され、上記３体の引出し体５の下方に配置されている。
【００２８】
上記被せ蓋６付き中箱７も、図２に示すように、その中箱７の底部における幅方向の両端部が上記レール体１６，１７の上面部に前後方向へスライドしうるように載置され、前方へ引っ張ることにより、上記レール体１６，１７上を滑って外箱４の前面開口部８から外箱４の前方へ突出することができる。
【００２９】
なお、本実施の形態では、上記引出し体５は３体具えられ、上記被せ蓋６付き中箱７は１体だけ具えられているが、引出し体５及び被せ蓋６付き中箱７の数は自由であり、これに限定されるものではない。
【００３０】
図１に示すように、上記額部２は上記保管ケース部３の前方に配置されている。すなわち、上記額部２は上記外箱４の前面開口部８を塞ぐように配置されている。
【００３１】
上記額部２は、図３に示すように、厚さ方向の中央部に写真収納部２４を有し、その写真収納部２４に収容した写真２５を前方から観賞できるように、その写真収納部２４の前方に正面形状が縦長長方形の窓孔２６が開設されている。
【００３２】
そして、上記窓孔２６には、図３に示すように、写真２５を保護するためにガラスやプラスチック製の透明カバー２７が張設されている。
【００３３】
図２及び図３に示すように、上記写真収納部２４の後方には写真挿入口２８が開設されるとともに、当該写真挿入口２８には写真２５の背面を覆って支持する背カバー２９が着脱可能に係止されている。
【００３４】
上記額部２は、図２に示すように、その側縁部にヒンジ１０が取付けられ、このヒンジ１０を介して上記外箱４の側縁部に回動自在に連結されている。すなわち、上記額部２は扉状に開閉可能な構造に形成され、前方から側方へ連続的に回転させて開くことができる。
【００３５】
図１に示すように、上記額部２が蓋体９として外箱４の前面開口部８を閉じた状態のときに、上記ヒンジ１０で連結された側縁部の反対側の側縁部２ａが当接する上記外箱４の開口縁部４ａには、その高さ方向の略中央部に切欠凹部３０が形成されている。
したがって、上記蓋体９を開くときに、上記切欠凹部３０に指先を入れることにより、その指先を上記側縁部２ａに引っ掛けて蓋体９を容易に開くことができる。
【００３６】
上記額部２及び保管ケース部３は、主に桐材によって形成されている。ただし、上記透明カバー２７は上記のようにガラスやプラスチック製で、上記ヒンジ１０は金属により形成されている。
なお、桐材には、軽い、熱伝導率が小さい、水分を吸収せず水が内部まで浸透しない（耐温性に富む）、燃えにくい（耐火性がある）、乾燥に強い（耐乾性に富む）、腐りにくいので中に入れてある品物の保存性が良い、虫を寄せ付けない、復元力がある、光沢があって時間が過ぎるほど味が出てくる、人の身体との関係において暖かい（実際に暖かいのではなくて人の熱を反射するため）、べたつかない（汗が付いた手や足で触れてもべたつかない）、柔らかいためぶつかっても怪我をしにくい等の特質があり、これがそのまま長所となっている。
【００３７】
【作用】
以下、本実施形態の作用について説明する。
まず、上記額部２には、その写真収納部２４に上記写真挿入口２８から、ある思い出にまつわる写真２５を収納することができる。例えば、赤ちゃんが生まれた場合は、その赤ちゃんの写真２５を収納することができる。
【００３８】
また、上記保管ケース部２における上記引出し体５や被せ蓋６付き中箱７には、その赤ちゃんの髪の毛、へその緒、手型、足型、赤ちゃんのその他の写真を収納した小型アルバム帳、赤ちゃんが着用した衣服等を収納して保管することができる。
【００３９】
上記額部２は蓋体９として、上記保管ケース部３を構成する外箱４の前面開口部８を閉じて、上記引出し体５や被せ蓋６付き中箱７に収納した記念の品々を保護することができる。
【００４０】
ところで、額部２に飾られた赤ちゃんの写真２５を観賞していて、その赤ちゃんの頃の時代をもっと思い出したい場合がある。そのような場合は、上記額部２を開いて、外箱４から引出し体５を前方へ突出させたり、被せ蓋６付き中箱７を引き出してその被せ蓋６を開けることにより、思い出の品々を取り出して写真２５と共に観賞することができる。これにより、赤ちゃん時代の思い出を十分に懐かしむことができる。
また、様々な思い出深い写真を複数枚引出し体５に収納して置くことができるため、適宜、額部２内に入れてある写真を交換して観賞することができる。
【００４１】
【考案の効果】
請求項１記載の本考案の写真立ては、ある思い出にまつわる写真を額部に展示しうると共に、その展示する写真又はその写真にまつわる思い出に係る記念の品も保管ケース部に収納しうるので、写真ばかりでなく、思い出の品も一緒に観賞することにより、その思い出を鮮明に呼び戻して、過去の思い出を十分に懐かしむことができる。
また、上記保管ケース部が箱状に形成され、前面部を開口した外箱と、上記外箱に前後方向へスライド可能に収納された引出し体と、同じく上記外箱に前後方向へスライド可能に収納された被せ蓋付き中箱とによって構成されるので、まず、上記保管ケース部が箱状に形成されることにより、安定感が良く、従来の写真立てのように倒れたりする不具合がない。
また、思い出の品々を引出し体や蓋付き中箱に収納して、外箱内に保管できるので、上記の品々は２重に保護されることになる。
また、引出し体や蓋付き中箱は前方へスライドさせて外箱から容易に突出させることができ、上記品々を引出し体や中箱から容易に取り出すことができる。
また、額部が外箱の前面開口部を開閉する蓋体として形成されたので、額部は写真を展示するだけでなく、外箱の蓋の機能も有することから、外箱の前面開口部を閉じるためだけの蓋を設ける必要がない。
【００４２】
また、請求項２記載の本考案の写真立ては、複数の引出し体が上下方向に配列されているので、思い出の品々や、観賞したい写真を複数枚、分類整理して収納するのに好都合である。
また、引出し体の下方に配置された中箱には特に大切なものを収納して被せ蓋をした状態で大事に保管することができる。
【００４３】
また、請求項３記載の本考案の写真立ては、額部の側縁部が外箱の側縁部にヒンジを介して回動自在に連結され、扉状に形成されたので、額部を回動させることによって上記外箱の前面開口部を容易に開閉することができる。
また、蓋体としての額部を開いたときに、額部が保管ケース部から分離しないので紛失することがない。
また、額部を回動させることにより、額部の背面部を前向きに露呈させることができるので、その背面部から写真を額部に容易に収納することができる。
【００４４】
また、請求項４記載の本考案の写真立ては、額部及び保管ケース部が主に桐材で形成されたので、額部に収納した写真や、引出し体及び被せ蓋付き中箱に収納した思い出の品々を、湿気や虫食い等から保護することができる。すなわち、上記の桐材の特質がそのまま長所となる。したがって、写真や思い出の品を長期間破損せぬように保護することができる。
【図面の簡単な説明】
【図１】本実施の形態に係る写真立ての額部を閉じた状態の斜視図である。
【図２】本実施の形態に係る写真立ての額部を開いた状態の斜視図である。
【図３】図１のＡ−Ａ線における断面図である。
【図４】図１のＢ−Ｂ線における断面図である。
【符号の説明】
１　写真立て
２　額部
２ａ　側縁部
３　保管ケース部
４　外箱
４ａ　開口縁部
５　引出し体
６　被せ蓋
７　中箱
８　開口部
９　蓋体
１０　ヒンジ
１１　上面板
１２　側面板
１３　側面板
１４　底面板
１５　背面板
１６　レール体
１７　レール体
１８　前面板
１９　背面板
２０　底面板
２１　側面板
２２　側面板
２３　切欠凹部
２４　写真収納部
２５　写真
２６　窓孔
２７　透明カバー
２８　写真挿入口
２９　背カバー
３０　切欠凹部
【図１】
0003098900.tif 000003
【図２】
0003098900.tif 000004
【図３】
0003098900.tif 000005
【図４】
0003098900.tif 000006
【手続補正書】
【提出日】平成15年7月23日(2003.7.23)
【手続補正１】
【補正対象書類名】明細書
【補正対象項目名】実用新案登録請求の範囲
【補正方法】変更
【補正の内容】
【実用新案登録請求の範囲】
【請求項１】
写真を展示しうる額部と、その展示する写真又はその写真にまつわる思い出に係る記念の品を収納しうる保管ケース部とが具えられ、上記保管ケース部は箱状に形成され、前面部が開口した外箱と、上記外箱に前後方向へスライド可能に収納された引出し体と、同じく上記外箱に前後方向へスライド可能に収納された被せ蓋付き中箱とによって構成され、上記額部は上記外箱の前面開口部を開閉する蓋体として形成されたことを特徴とする写真立て。
【請求項２】
上記引出し体は複数体が上下方向に配列され、上記被せ蓋付き中箱は上記引出し体の下方に配置されたことを特徴とする請求項１記載の写真立て。
【請求項３】
上記額部は側縁部が上記外箱の側縁部にヒンジを介して回動自在に連結され、扉状に形成されたことを特徴とする請求項１又は２記載の写真立て。
【請求項４】
上記額部及び上記保管ケース部は主に桐材で形成されたことを特徴とする請求項１、２又は３記載の写真立て。